(57)【要約】【課題】液体流路内の気泡を比較的容易に排出することができ常に良好な吐出特性を維持することができる液体噴射ヘッドユニット及び液体噴射装置を提供する。【解決手段】液体が貯留される液体貯留部材１１と、液体貯留部材１１から供給される液体を液滴として吐出するヘッド本体と、液体貯留部材１１が装着されると共に液体貯留部材１１とヘッド本体とを繋ぐ液体流路の一部を構成する供給路２４を有する保持部材２１と、フィルタ３６を介して供給路２４と連通する貫通孔を有する液体供給針３５とを具備し、フィルタ３６の上流側に液体流路内の気泡が貯留される気泡貯留部４１を設けこの気泡貯留部４１の上部に鉛直方向上側に開口し且つ液体貯留部材１１が保持部材２１に装着された状態で開放される開閉弁４４が設けられた排出口４３を設ける。【選択図】図４
2007230101.tif 000002
【特許請求の範囲】
【請求項１】
液体が貯留される貯留室を有する液体貯留部材と、該液体貯留部材から供給される液体を液滴として吐出する複数のノズル開口を有するヘッド本体と、前記液体貯留部材が装着される装着部を有すると共に前記液体貯留部材の前記貯留室と前記ヘッド本体とを繋ぐ液体流路の一部を構成する供給路を有する保持部材と、該保持部材に固定されフィルタを介して前記供給路と連通する貫通孔を有する液体供給針とを具備し、
前記フィルタの上流側には前記液体流路内の気泡が貯留される気泡貯留部を有すると共に該気泡貯留部の上部には鉛直方向上側に開口し且つ前記液体貯留部材が前記保持部材に装着された状態で開放される開閉弁が設けられた排出口を有することを特徴とする液体噴射ヘッドユニット。
【請求項２】
前記貯留室に貯留されている液体と同一の液体が充填された充填室を有する充填部材を具備し、且つ該充填部材には前記充填室の底部に鉛直方向下側に向かって開口して前記排出口に繋がると共に、前記液体貯留部材が前記保持部材に保持された状態で開放される開閉弁が設けられた連結口を有することを特徴とする請求項１に記載の液体噴射ヘッドユニット。
【請求項３】
前記充填部材が前記液体貯留部材と一体的に形成されていることを特徴とする請求項２に記載の液体噴射ヘッドユニット。
【請求項４】
前記液体供給針の前記貫通孔が前記気泡貯留部を兼ねると共に前記排出口が前記液体供給針の先端部に設けられ、前記排出口と前記連結口とが、前記液体貯留部材に設けられて前記貫通孔と前記貯留室とを繋ぐ導入路の一部を介して連通していることを特徴とする請求項３に記載の液体噴射ヘッドユニット。
【請求項５】
前記充填室が前記液体供給針に対向する領域に配置されていることを特徴とする請求項４に記載の液体噴射ヘッドユニット。
【請求項６】
前記気泡貯留部が、前記供給路に対向する領域に設けられていることを特徴とする請求項１〜３の何れかに記載の液体噴射ヘッドユニット。
【請求項７】
前記気泡貯留部と前記液体供給針の前記貫通孔とが水平方向に延びる連通路を介して連通していることを特徴とする請求項６に記載の液体噴射ヘッドユニット。
【請求項８】
請求項１〜７の何れかに記載の液体噴射ヘッドユニットを具備することを特徴とする液体噴射装置。
【発明の詳細な説明】
【技術分野】
【０００１】
本発明は、液体貯留手段からヘッド本体に供給される液体を液滴としてノズル開口から噴射する液体噴射ヘッドユニット及び液体噴射装置に関し、特に、液滴としてインク滴を吐出するインクジェット式記録ヘッド及びインクジェット式記録装置に関する。
【背景技術】
【０００２】
液体噴射ヘッドの代表例であるインクジェット式記録ヘッドを有するインクジェット式記録ヘッドユニット（以下、ヘッドユニットと呼ぶ）では、一般的に、インクが充填されたインクカートリッジから、このインクカートリッジに挿入されるインク供給針及びインクカートリッジが保持される保持部材に形成されたインク流路を介してヘッド本体にインクが供給され、ヘッド本体に供給されたインクは圧電素子等を駆動させることによりノズル開口から吐出される。
【０００３】
このようなヘッドユニットでは、インクカートリッジ内にインクと共に存在する気泡、あるいはインクカートリッジを着脱する際等にインクに混入した気泡が、インクと共にヘッドユニットに供給されてしまうと、気泡によってドット抜け等の吐出不良が発生するという問題がある。このような問題を解決するために、インクカートリッジに挿入されるインク供給針と、このインク供給針が固定される基台との間に、インクに混入した気泡等を除去するためのフィルタを装着するようにしたものがある（例えば、特許文献１参照）。
【０００４】
このようにフィルタによってインク吐出時には気泡がトラップされるため、ヘッド本体（記録ヘッド）に気泡が流れ込むのを防止することができる。また、フィルタにトラップされた気泡は、一般的に、ヘッド本体のノズル開口からインクを吸引する、いわゆる吸引動作によって外部に排出される。すなわち、ノズル開口からインクを吸引して通常のインク吐出時のインクの流速よりも速い流速をインクに生じさせることで、気泡はインクと共にフィルタを通過してノズル開口から排出される。
【０００５】
ここで、フィルタ部分に蓄積された気泡の体積が増加すると、それに伴ってインク吸引時（インク吐出時又は吸引動作時）のフィルタ部分での圧力損失が上昇する。そして、この圧力損失が一定値以上となると、インク吐出時でも、気泡がインクと共にフィルタを通過してしまいドット抜け等の吐出不良が生じてしまうという問題がある。
【０００６】
このような問題は、上述した吸引動作を比較的頻繁に実行することで解消することはできる。しかしながら、吸引動作時には上述のようにインク吐出時よりも速い流速をインクに生じさせるため、吸引動作を頻繁に行うと大量のインクを消費してしまい実際の印字等に使用するインク量が減少してしまうという問題がある。すなわち、インクの消費量が多くなり、ランニングコストが高くなってしまうという問題がある。
【０００７】
なお、このような問題は、インク滴を吐出するインクジェット式記録ヘッドだけでなく、他の液体噴射ヘッドにおいても同様に存在する。
【０００８】
【特許文献１】特開平１１−１０９０４号公報（第１図等）
【発明の開示】
【発明が解決しようとする課題】
【０００９】
本発明は、このような事情に鑑み、液体流路内の気泡を比較的容易に排出することができ常に良好な吐出特性を維持することができる液体噴射ヘッドユニット及び液体噴射装置を提供することを課題とする。
【課題を解決するための手段】
【００１０】
上記課題を解決する本発明の第１の態様は、液体が貯留される貯留室を有する液体貯留部材と、該液体貯留部材から供給される液体を液滴として吐出する複数のノズル開口を有するヘッド本体と、前記液体貯留部材が装着される装着部を有すると共に前記液体貯留部材の前記貯留室と前記ヘッド本体とを繋ぐ液体流路の一部を構成する供給路を有する保持部材と、該保持部材に固定されフィルタを介して前記供給路と連通する貫通孔を有する液体供給針とを具備し、前記フィルタの上流側には前記液体流路内の気泡が貯留される気泡貯留部を有すると共に該気泡貯留部の上部には鉛直方向上側に開口し且つ前記液体貯留部材が前記保持部材に装着された状態で開放される開閉弁が設けられた排出口を有することを特徴とする液体噴射ヘッドユニットにある。
かかる第１の態様では、液体流路内の気泡が気泡貯留部に貯留され、液体貯留部材が保持部材に装着された状態では、気泡貯留部内の気泡が排出口を介して外部に排出される。したがって、いわゆる吸引動作を実施することなく、吐出特性を良好に保持しつつ液体貯留部材に貯留されている液体の消費量を削減することができる。
【００１１】
本発明の第２の態様は、前記貯留室に貯留されている液体と同一の液体が充填された充填室を有する充填部材を具備し、且つ該充填部材には前記充填室の底部に鉛直方向下側に向かって開口して前記排出口に繋がると共に、前記液体貯留部材が前記保持部材に保持された状態で開放される開閉弁が設けられた連結口を有することを特徴とする第１の態様の液体噴射ヘッドユニットにある。
かかる第２の態様では、気泡貯留部内の気泡が排出口及び連結口を介して充填室内に流れ込むことで、液体流路内の気泡をより確実に除去することができる。
【００１２】
本発明の第３の態様は、前記充填部材が前記液体貯留部材と一体的に形成されていることを特徴とする第２の態様の液体噴射ヘッドユニットにある。
かかる第３の態様では、開閉弁の開閉動作を、液体貯留部材の着脱に容易に連動させることができる。
【００１３】
本発明の第４の態様は、前記液体供給針の前記貫通孔が前記気泡貯留部を兼ねると共に前記排出口が前記液体供給針の先端部に設けられ、前記排出口と前記充填室とが、前記液体貯留部材に設けられて前記貫通孔と前記貯留室とを繋ぐ導入路の一部を介して連通していることを特徴とする第３の態様の液体噴射ヘッドユニットにある。
かかる第４の態様では、排出口から貫通孔内に貯留室内の液体が供給されると共に、貫通孔（気泡貯留部）内の気泡が液体貯留部材の充填室に流れ込む。これにより、吐出特性を良好に保持しつつ液体貯留部材に貯留されている液体の消費量を削減することができ、且つヘッドユニットの小型化を図ることができる。
【００１４】
本発明の第５の態様は、前記充填室が前記液体供給針に対向する領域に配置されていることを特徴とする第４の態様の液体噴射ヘッドユニットにある。
かかる第５の態様では、貫通孔（気泡貯留部）内の気泡が液体貯留部材の充填室により確実に流れ込む。
【００１５】
本発明の第６の態様は、前記気泡貯留部が、前記供給路に対向する領域に設けられていることを特徴とする第１〜３の何れかの態様の液体噴射ヘッドユニットにある。
かかる第６の態様では、供給路に対向する領域のフィルタによって気泡の多くがトラップされるため、供給路に対向する領域に気泡貯留部が設けられていることで、液体流路内の気泡が気泡貯留部内に集まりやすくなる。
【００１６】
本発明の第７の態様は、前記気泡貯留部と前記液体供給針の前記貫通孔とが水平方向に延びる連通路を介して連通していることを特徴とする第６の態様の液体噴射ヘッドユニットにある。
かかる第７の態様では、気泡貯留部内に貯留された気泡が、貫通孔内に流れ込みにくくなり、ドット抜け等の吐出不良の発生をさらに確実に防止することができる。
【００１７】
本発明の第８の態様は、第１〜７の何れかの態様の液体噴射ヘッドユニットを具備することを特徴とする液体噴射装置にある。
かかる第８の態様では、信頼性及び耐久性を向上すると共に、ランニングコストを低減した液体噴射装置を実現することができる。
【発明を実施するための最良の形態】
【００１８】
以下に本発明を実施形態に基づいて説明する。
（実施形態１）
図１は、本発明の実施形態１に係る記録装置の概略斜視図である。本実施形態の液体噴射装置であるインクジェット式記録装置１０は、図１に示すように、例えば、ブラック（Ｂ）、シアン（Ｃ）、マゼンダ（Ｍ）、イエロー（Ｙ）等の複数の異なる色のインクが貯留される貯留室を有するインクカートリッジ（液体貯留手段）１１が装着されたインクジェット式記録ヘッドユニット１２（以下、ヘッドユニットと呼ぶ）が搭載されるキャリッジ１３を有し、ヘッドユニット１２が搭載されたキャリッジ１３は、装置本体１４に取り付けられたキャリッジ軸１５に軸方向移動自在に設けられている。そして、駆動モータ１６の駆動力が図示しない複数の歯車およびタイミングベルト１７を介してキャリッジ１３に伝達されることで、キャリッジ１３はキャリッジ軸１５に沿って移動される。一方、装置本体１４にはキャリッジ軸１５に沿ってプラテン１８が設けられており、図示しない給紙装置等により給紙された紙等の被記録媒体Ｓがプラテン１８上を搬送されるようになっている。
【００１９】
また、キャリッジ１３のホームポジションに対応する位置、すなわち、キャリッジ軸１５の一方の端部近傍には、ヘッドユニット１２の後述するノズル開口が開口するノズル形成面を封止するキャップ部材１９を有するキャッピング装置２０が設けられている。このキャップ部材１９によってノズル形成面を封止することにより、インクの乾燥を防止している。
【００２０】
ここで、本実施形態に係るヘッドユニット１２について説明する。なお、図２は、本実施形態に係るヘッドユニット（インクカートリッジを除く）の組立斜視図であり、図３はその分解斜視図である。また、図４はヘッドユニットの要部、すなわち、インクカートリッジとインク供給針との接続部分の概略を示す断面図である。
【００２１】
図示するように、カートリッジケース２１は、インクカートリッジ１１が装着されるカートリッジ装着部２２を有する。また、カートリッジケース２１の底面には、一端が各カートリッジ装着部２２に開口し、他端が後述するヘッドケース側に開口する複数のインク供給路２４がそれぞれ形成された管状の流路形成部２５が突設されている（図４参照）。そして、このようなカートリッジケース２１には、上述したように複数のインクカートリッジ１１が装着される。
【００２２】
カートリッジケース２１の下面側には、複数の圧電素子を有する圧電素子ユニット２６を保持すると共に、カートリッジケース２１とは反対側の端面に圧電素子の駆動によってノズル開口からインク滴を吐出するヘッド本体２７が固定されるヘッドケース２８を有し、これらカートリッジケース２１とヘッドケース２８との間には、シール部材２９及び回路基板３０が挟持されている。
【００２３】
また、カートリッジケース２１の下面側に固定されるヘッドケース２８には、圧電素子ユニット２６（２６Ａ，２６Ｂ）を収容して圧電素子を位置決め固定するための収容室３１が並設されている。例えば、本実施形態のヘッド本体２７は、ブラックインクを吐出するための圧電素子ユニット２６Ａと、カラーインクを吐出するための圧電素子ユニット２６Ｂとを有するため、ヘッドケース２８には、これらの圧電素子ユニット２６Ａ，２６Ｂを収容する２つの収容室３１が並設されている。なお、シール部材２９、回路基板３０、ヘッドケース２８及びヘッド本体２７は、カートリッジケース２１の下面側に積層され、その外側にヘッド本体２７のノズル開口を露出する窓部３２を有する枠体３３を填め込み、ネジ３４によってカートリッジケース２１に固定することで保持されている（図１参照）。
【００２４】
一方、カートリッジケース２１の上面側、すなわち、各カートリッジ装着部２２のインク供給路２４の開口部分には、図４に示すように、インクカートリッジ１１の挿入口に挿入される複数のインク供給針３５が、インク内の気泡や異物を除去するためのフィルタ３６を介して固定されている。本実施形態では、各インク供給針３５は、カートリッジケース２１側の端部近傍にフランジ部を有し、このフランジ部のカートリッジケース２１との接合面に設けられた融着突起を溶融させることにより、すなわち超音波融着により、カートリッジケース２１に固着されている。
【００２５】
インク供給針３５は、インクカートリッジ１１の挿入部３７に挿入される針部３８を有し、この針部３８の先端部分には、複数の微小孔３９が形成され、その内は中空になっている。すなわち、針部３８の内部は、複数の微小孔３９に連通する貫通孔４０が形成されている。また、本実施形態に係るインク供給針３５は、インク供給路２４に対向する領域に、インクに含まれる気泡が貯留される気泡貯留部４１を有すると共に、この気泡貯留部４１と貫通孔４０とを繋ぐ連通路４２を有する。なお、この連通路４２は、ヘッドユニット１２がキャリッジ１３に搭載された状態で、略水平方向に延設されている。
【００２６】
ここで、本実施形態に係る気泡貯留部４１は、フィルタ３６からの鉛直方向の高さが連通路４２の高さよりも高くなるように形成され、鉛直方向上側ほどその幅が狭くなるように形成されている。これにより、貫通孔４０、連通路４２等で構成されるインク流路内の気泡が気泡貯留部４１の上部に集められて貯留される。また、気泡貯留部４１の上部には、鉛直方向上側に開口する排出口４３が設けられており、この排出口４３には、インクカートリッジ１１がカートリッジケース２１に装着された状態で開放される開閉弁４４が設けられている。すなわち、カートリッジケース２１にインクカートリッジ１１が装着されていない状態では、排出口４３は開閉弁４４によって閉じられた状態となる。
【００２７】
また、このようなインク供給針３５の針部３８が挿入されるインクカートリッジ１１には、挿入部３７に連通してヘッド本体２７に供給するためのインクが保持される貯留室（図示なし）を有すると共に、この貯留室とは独立するが、貯留室内の液体と同一の液体が充填された充填室４５が設けられている。この充填室４５は、インク供給針３５の気泡貯留部４１に対向する領域に設けられ、充填室４５の底部には、鉛直方向下側に向かって開口して気泡貯留部４１の排出口４３に繋がる連結口４６を有する。また、この連結口４６にも、排出口４３と同様に、インクカートリッジ１１がカートリッジケース２１に装着された状態で開放される開閉弁４７が設けられている。
【００２８】
これらの開閉弁４４，４７は、インクカートリッジ１１がカートリッジケース２１に装着された状態で開放される構造であれば、特に限定されないが、例えば、本実施形態では、排出口４３に設けられる開閉弁４４と、連結口４６に設けられる開閉弁４７とは、両者の相互作用により作動し、インクカートリッジ１１がカートリッジケース２１に装着された状態で排出口４３及び連結口４６が開放されるようになっている。具体的には、各開閉弁４４，４７は、弁部材４８とこの弁部材４８を排出口４３又は連結口４６側に付勢する付勢部材４９とで構成されている。各弁部材４８は、気泡貯留部４１内又は充填室４５内に配置され、例えば、バネ等からなる付勢部材４９によって排出口４３又は連結口４６に向かって常に付勢されている。このため、インクカートリッジ１１がカートリッジケース２１に装着されていない状態では、排出口４３及び連結口４６のそれぞれは、開閉弁４４，４７によって封止された状態となっている。このように排出口４３及び連結口４６が封止された状態では、本実施形態に係る弁部材４８の先端部は、排出口４３又は連結口４６よりも若干外側に突出した状態となる。そして、インクカートリッジ１１をカートリッジケース２１に装着すると、図４に示すように、各弁部材４８同士が当接してそれぞれ押圧することによって、排出口４３及び連結口４６が開放される。勿論、このように各弁部材４８同士が押圧することによって排出口４３及び連結口４６のそれぞれが開放されるように、各開閉弁４４，４７を構成する付勢部材４９の付勢力を適宜調整しておく必要がある。
【００２９】
排出口４３及び連結口４６が開放され、気泡貯留部４１と充填室４５とが連通すると、気泡貯留部４１内に貯留されていた気泡は、これら排出口４３及び連結口４６を介して充填室４５内に流れ込むことになる。また同時に、充填室４５に充填されている液体が、気泡貯留部４１内、すなわち、インク流路内に流れ込むことになる。なお、上述したように充填室４５には、貯留室に貯留されている液体と同一の液体、例えば、本実施形態では、同色のインクが充填されているため、例えば、インクの濃度が低下する等の問題が生じることはない。
【００３０】
このように、フィルタ３６の上流側に気泡貯留部４１を設けることでインク流路内の気泡がこの気泡貯留部４１内に貯留される。すなわち、インクカートリッジ１１からヘッド本体２７にインクを供給する際、フィルタ３６にトラップされた気泡が、気泡貯留部４１に貯留される。また、貯留された気泡が、排出口４３から外部（充填室４５）に排出される。これにより、インク流路内の気泡がインクと共にヘッド本体２７に供給されてドット抜け等の吐出不良が発生するのを防止することができる。また、いわゆる吸引動作によって気泡を排出させる必要がなくなり、無駄なインクの使用を防止することができ、ランニングコストを削減することができる。
【００３１】
さらに本実施形態では、インク供給路２４に対向する領域に気泡貯留部４１を設けるようにしたので、気泡を効率的に外部に排出することができる。すなわち、インク供給路２４にインクを供給する際に、インクに混入している気泡がフィルタ３６によってトラップされるようになっているため、インク供給路２４上に気泡貯留部４１を設けることにより、インク流路内の気泡をより確実に気泡貯留部４１内に集めることができる。また、本実施形態では、貫通孔４０と気泡貯留部４１とを略水平方向に延びる連通路４２を介して繋ぐようにして気泡の逆流を抑えている。したがって、気泡貯留部４１に貯留された気泡が、貫通孔４０内に入り込むのを防止することができ、気泡に起因するドット抜け等の発生をより確実に防止することができる。
【００３２】
なお、気泡貯留部４１及び充填室４５を設ける位置は、フィルタ３６の上流側であれば特に限定されるものではない。例えば、図５に示すように、インク供給路２４に対向する領域にインク供給針３５の貫通孔４０（針部３８）を配置すると共に、フィルタ３６上でインク流路を分岐させて、貫通孔４０と共に気泡貯留部４１をインク供給路２４に対向する領域に形成するようにしてもよい。勿論、このような構成としても、インク流路内の気泡は、気泡貯留部４１に貯留され、貯留された気泡は排出口４３及び連結口４６を介して流路外（充填室４５）に排出される。
【００３３】
なお、本実施形態では、充填室４５をインクカートリッジ１１に設けた例を説明したが、これに限定されず、例えば、インクカートリッジ１１とは別に、充填室を有する充填部材を、インクカートリッジ１１と共にカートリッジケース２１に装着するようにしてもよい。
【００３４】
（実施形態２）
図６は、実施形態２に係るヘッドユニットの要部、すなわち、インクカートリッジとインク供給針との接続部分の概略を示す断面図である。
【００３５】
本実施形態は、インクカートリッジ１１からインクが供給されるインク供給針３５Ａの貫通孔４０Ａが、気泡貯留部４１を兼ねるようにした例である。具体的には、図６に示すように、本実施形態では、インク供給針３５Ａ（針部３８Ａ）の先端部に、複数の微小孔の替わりに、例えば、直径が２〜２．５ｍｍ程度の排出口４３Ａが設けられている。また、この排出口４３Ａには、インクカートリッジ１１がカートリッジケース２１に装着された状態で開放される開閉弁４４Ａが設けられている。
【００３６】
なお、この開閉弁４４Ａの構造は特に限定されず、実施形態１と同様に、弁部材４８Ａと付勢部材４９Ａとで構成されている。ただし、本実施形態では、弁部材４８Ａをその下方側から付勢部材４９Ａによって押圧するようにしている点で実施形態１の構成とは異なる。
【００３７】
一方、インクカートリッジ１１Ａには、充填室４５Ａが、インク供給針３５Ａに対向する領域、すなわち、インクカートリッジ１１Ａの挿入部３７Ａの鉛直方向上側に設けられ、この充填室４５Ａと挿入部３７Ａとが、図示しない貯留室と挿入部３７Ａとを繋ぐインク導入路５０の一部を介して連通されている。すなわち、インク導入路５０は挿入部３７Ａから鉛直方向上側に向かって形成され、その途中で第１の導入路５１と第２の導入路５２とに分岐されて第１の導入路５１はそのまま鉛直方向上側に向かって延設されて充填室４５Ａに連通している。一方、第２の導入路５２は、第１の導入路５１とは交差する方向に延設されて図示しない貯留室に連通されている。
【００３８】
このような本実施形態の構成では、インクカートリッジ１１がカートリッジケース２１に装着されてインク供給針３５Ａが挿入部３７Ａ内に挿入されると、開閉弁４４Ａの弁部材４８Ａの先端部が、挿入部３７Ａ内に設けられている当接部５３に当接して貫通孔４０Ａの内側に押し込まれ、これにより排出口４３Ａが開放される。そして、インクカートリッジ１１の貯留室内のインクがこの排出口４３Ａを介して貫通孔４０Ａ内に供給されると共に、貫通孔４０Ａ（気泡貯留部４１Ａ）内に貯留された気泡がこの排出口４３Ａを介して排出され、第１の導入路５１を介して充填室４５Ａ内に流れ込むようになっている。
【００３９】
このような構成としても、実施形態１の場合と同様に、インク流路内の気泡を良好にインク流路外に排出することができ、ドット抜け等の吐出不良を確実に防止することができる。また、いわゆる吸引動作を実施する必要がないため、ランニングコストを削減することができる。
【００４０】
なお、本実施形態の構成においては、ヘッド本体２７にインク供給するためのインク流路の一部（インク導入路５０）が、気泡を排出するための流路を兼ねているため、例えば、インク流路である第２の導入路５２内にも気泡が流れ込んでしまう等の問題が生じることが考えられる。しかしながら、上述したように充填室４５Ａをインク供給針３５Ａの鉛直方向上側に設けるようにしているため、貫通孔４０Ａ内の気泡を第２の導入路５２内に流れ込ませることなく確実に充填室４５Ａ内に流れ込ませることができる。
【００４１】
（他の実施形態）
以上、本発明の実施形態に基づいて詳細に説明したが、勿論、本発明は上述した実施形態に限定されるものではない。また、上述した実施形態においては、液体噴射ヘッドユニットとしてインクジェット式記録ヘッドユニットを例示したが、本発明は、広く液体噴射ヘッドユニットの全般を対象としたものである。例えば、プリンタ等の画像記録装置に用いられる各種の記録ヘッドユニット、液晶ディスプレー等のカラーフィルタの製造に用いられる色材噴射ヘッドユニット、有機ＥＬディスプレー、ＦＥＤ（面発光ディスプレー）等の電極形成に用いられる電極材料噴射ヘッドユニット、バイオｃｈｉｐ製造に用いられる生体有機物噴射ヘッドユニット等にも適用することができる。
【図面の簡単な説明】
【００４２】
【図１】実施形態１に係る記録装置の概略を示す斜視図である。
【図２】実施形態１に係る記録ヘッドユニットの組立斜視図である。
【図３】実施形態１に係る記録ヘッドユニットの分解斜視図である。
【図４】実施形態１に係る記録ヘッドユニットの要部を示す断面図である。
【図５】実施形態１に係る記録ヘッドユニットの変形例を示す要部断面図である。
【図６】実施形態２に係る記録ヘッドユニットの要部の概略を示す断面図である。
【符号の説明】
【００４３】
１０  インクジェット式記録装置、  １１  インクカートリッジ、  １２  ヘッドユニット、  ２１  カートリッジケース、  ２２  カートリッジ装着部、  ２４  インク供給路、  ２７  ヘッド本体、  ３５  インク供給針、  ３６  フィルタ、  ３７  挿入部、  ３８  針部、  ３９、  微小孔、  ４０  貫通孔、  ４１  気泡貯留部、  ４２  連通路、  ４３  排出口、  ４４，４７  開閉弁、  ４５  充填室、  ４６  連結口、  ４８  弁部材、  ４９  付勢部材、  ５０  インク導入路
【図１】
2007230101.tif 000003
【図２】
2007230101.tif 000004
【図３】
2007230101.tif 000005
【図４】
2007230101.tif 000006
【図５】
2007230101.tif 000007
【図６】
2007230101.tif 000008